(57)【要約】【課題】  魚釣用スピニングリールにおいて、回転軸筒とスプール軸の同心度を高精度にし、巻き取り操作時に回転軸筒とスプール軸が接触しないようにして巻き取り操作性を向上させる。また、リール本体の小型化・軽量化と、魚釣用スピニングリールの制作時の作業性等を向上させる。【解決手段】  先端に釣糸案内部２３を有するロータ６を有する回転軸筒４と、先端にスプール１を有し回転軸筒４内を前後往復運動するスプール軸２とを備えた魚釣用スピニングリールにおいて、後側軸受部材１１を同心状に一体に形成した回転軸筒４の後端部を回転自在に支承する回転軸筒用軸受部と、スプール軸２を往復動自在に支承するスプール軸用軸受部とで構成する。【選択図】          図１
2006197892.tif 000002
【特許請求の範囲】
【請求項１】
先端に釣糸案内部を有するロータを有する回転軸筒と、先端にスプールを有し前記回転軸筒内を前後往復運動するスプール軸とを備えた魚釣用スピニングリールであって、
前記回転軸筒の後端部を回転自在に支承する回転軸筒用軸受部と、前記スプール軸を往復動自在に支承するスプール軸用軸受部とを同心状に一体に形成した軸受部材をリール本体の支持部に備えたことを特徴とする魚釣用スピニングリール。
【請求項２】
請求項１に記載された魚釣用スピニングリールにおいて、
前記軸受部材は、前記回転軸筒の内周面と前記スプール軸外周面間に所定の間隔を維持して前記回転軸筒とスプール軸とを支承することを特徴とする魚釣用スピニングリール。
【請求項３】
請求項２に記載された魚釣用スピニングリールにおいて、
前記軸受部材を収容するリール本体の支持部は中心に孔を有するカップ状をなし、かつ、前記スプール軸用軸受部は前記所定の間隔よりも狭い間隔を隔てて前記孔内に配置されていることを特徴とする魚釣用スピニングリール。
【発明の詳細な説明】
【技術分野】
【０００１】
本発明は、ハンドルの回転運動をスプール軸の前後動に変換し、スプール軸の前部に設けたスプールに前後進動作を与えて釣糸を巻き取る魚釣用スピニングリールに関する。
【背景技術】
【０００２】
一般に魚釣用スピニングリールでは、ハンドル操作で連動回転されるロータを固定した回転軸筒内に、先端にスプールを設けたスプール軸が前後動可能に挿通されており、ハンドル操作で連動回転する釣糸案内部を有するロータを介して前後動するスプールの外周に釣糸を巻き取るようになっている。
【０００３】
この魚釣用スピニングリールは、使用時には張力が掛かっている釣糸を巻き取るため、ロータを回転する回転軸筒内周面と前後動するスプール軸外周面の接触抵抗が大きくなり、円滑な巻き取り性能が低下する。そのため、この釣糸巻き取り時の接触抵抗を軽減して円滑な巻き取り操作が行えるよう、スプール軸外周面と回転軸筒内周面が接触しない離間状態を維持して、回転軸筒及びスプール軸をリール本体で軸受により支承したものが知られている（例えば、特許文献１参照）。
【０００４】
しかし、この従来の魚釣用スピニングリールでは、図３に示すように、回転軸筒の端部と、スプール軸は、別個の軸受２１、２２で支承されており、リール本体に設けられた支持部でそれぞれ独立に支持されており、この独立に配置された二つの軸受で、回転する回転軸筒と回転軸筒内で前後動するスプール軸をそれぞれ別々に支承するため、二つの軸受の芯出しを高精度に行うのが難しく、従って回転軸筒とスプール軸の同心度の精度は低下せざるを得ない。そのため、巻き取り操作時の回転軸筒用軸受やスプール軸にかかる負荷等の影響で、巻き取り操作時の非接触状態を安定して維持するのが難しく、スプール軸外周と回転軸筒内周が接触し易くなるという問題がある。
【０００５】
また、各軸受が緩衝しないように独立に配置するための余分なスペースが必要であるため、リール本体の軸受支持部が大きくなり、その分リール本体が大型化・重量化するという問題がある。
【０００６】
更に、リールを制作する際には、回転軸筒とスプール軸が接触しないように、かつそれぞれの軸受が緩衝しないように独立に配置するため、二つの軸受と回転軸筒及びスプール軸のリール本体への組み込みは、それぞれ別個に、かつ慎重に行う必要があり、各部品の取り扱い及び組み込み作業に手間が掛かり、従ってコストも掛かるという問題がある。
【０００７】
【特許文献１】特開２００１−１９０１９３号公報
【発明の開示】
【発明が解決しようとする課題】
【０００８】
本発明は、前記従来の問題に鑑みてなされたものであって、その目的は、魚釣用スピニングリールにおいて、回転軸筒とスプール軸の同心度を高精度にすることで、巻き取り操作時に回転軸筒とスプール軸が接触しないようにして巻き取り操作性を向上させることである。また、リール本体の小型化・軽量化と、魚釣用スピニングリールの制作時の作業性等を向上させることである。
【課題を解決するための手段】
【０００９】
請求項１の発明は、先端に釣糸案内部を有するロータを有する回転軸筒と、先端にスプールを有し前記回転軸筒内を前後往復運動するスプール軸とを備えた魚釣用スピニングリールであって、前記回転軸筒の後端部を回転自在に支承する回転軸筒用軸受部と、前記スプール軸を往復動自在に支承するスプール軸用軸受部とを同心状に一体に形成した軸受部材をリール本体の支持部に備えたことを特徴とする。
請求項２の発明は、請求項１に記載された魚釣用スピニングリールにおいて、前記軸受部材は、前記回転軸筒の内周面と前記スプール軸外周面間に所定の間隔を維持して前記回転軸筒とスプール軸とを支承することを特徴とする。
請求項３の発明は、請求項２に記載された魚釣用スピニングリールにおいて、前記軸受部材を収容するリール本体の支持部は中心に孔を有するカップ状をなし、かつ、前記スプール軸用軸受部は前記所定の間隔よりも狭い間隔を隔てて前記孔内に配置されていることを特徴とする。
【発明の効果】
【００１０】
本発明によれば、回転軸筒用軸受部材とスプール軸用軸受部材の同心度の精度が向上するため、巻き取り操作時に回転軸筒内周とスプール軸外周の非接触状態を安定して維持することができ、巻き取り操作性を向上することができる。また、リール本体の軸受支持部も小さくすることができ、リール本体を小型化・軽量化することができる。また、部品の取り扱い及び組み込み作業の作業性を向上させることができる。
【発明を実施するための最良の形態】
【００１１】
本発明の魚釣用スピニングリールの一実施の形態を図面を参照して説明する。図１は、本実施形態に係る魚釣用スピニングリールの側断面図であり、図２は、図１の魚釣用スピニングリールの要部拡大断面図である。
【００１２】
本魚釣用スピニングリールは、図１に示すように、先端にスプール１を有するスプール軸２を備え、かつ、このスプール軸２はリール本体３に前後がそれぞれ軸受１２、１１で回転自在に支承された回転軸筒４内に挿通され、かつ、リール本体３内に設けられた後述する往復動装置５によって前後方向に往復摺動されるように構成されている。
【００１３】
前記回転軸筒４の先端にはロータ６をネジ部材で回り止め固定すると共に、その後部にはハンドル軸７に一体に設けられた駆動ギア８と噛み合うピニオン９を設け、ハンドル軸７の回転により前記駆動ギア８及びピニオン９を介してロータ６を回転し、ロータ６に設けた釣糸案内部２３を介して釣糸をスプール１に巻き取るようにしている。
【００１４】
前記往復動装置５は、先端にスプール１を取り付けたスプール軸２を前後方向に移動させることでスプール１を同方向に移動させることができ、ハンドル軸７に一体的に設けた歯車１４に噛み合ってこれと連動するオシレート歯車１５と、スプール軸２の後部に取り付けられた摺動体１６と、摺動体１６の往復動を案内するスプール軸２と平行に設けられた杆又は小柱状のピラー１７とを備えている。
【００１５】
オシレート歯車１５は、リール本体３に軸受により回転可能に取り付けられ、歯車１４と噛み合う歯部、回転を摺動体１６に伝達するための突起１５ａを有している。摺動体１６は、スプール軸２と連結するための非円形の穴等を備えた連結部１６ａ、案内溝１６ｂが設けられた前後方向に屈曲して縦に延びる本体部１６ｃ、上下の略中間位置でリール前方側に屈曲した形状となる腕部１６ｄとピラー案内部１６ｅから構成されている。また、オシレート歯車１５の突起１５ａは、その回転中心軸から偏心した位置に設けられており、他方摺動体１６の内側には、前記突起１５ａが嵌合する前後方向にクランク状に屈曲して縦に延びた経路からなる案内溝１６ｂが設けられている。
【００１６】
往復動装置５は以上のような構成であるため、ハンドル１８の回転操作でハンドル軸７が回転すると、ハンドル軸７上の歯車１４が回転し、それと噛み合うオシレート歯車１５が回転する。これにより、同歯車１５に設けられた突起１５ａも回転する。ここで、突起１５ａは摺動体１６の案内溝１６ｂの前記前後方向に屈曲し縦に延びた経路内で案内されて回転するため、摺動体１６は、前記突起１５ａの回転に伴って前記案内溝１６ｂを介して駆動されて前後方向にわたって往復動し、これに伴い摺動体１６に取り付けられたスプール軸２も軸方向に前後動する。
【００１７】
このように、突起１５ａと案内溝１６ｂは、ハンドル軸７の回転運動をスプール軸２の直線往復運動に変換する変換手段を構成している。
【００１８】
本実施形態では、摺動体１６のガタ付きを防止してスプール軸２が滑らかに往復動できるように、リール本体３の底部の前後部に両端が支持されたピラー１７が設けられており、他方、摺動体１６は、ピラー１７に嵌合する孔を備え、ピラー１７に前後動可能に摺動案内支持されるピラー案内部１６ｅを有している。
【００１９】
なお、本実施形態においては往復動装置としてオシレーティング機構について説明したが、トラバースカム機構等その他の周知の往復動装置を用いることもできる。
【００２０】
前記スプール軸２の外周面と回転軸筒４の内周面との間には微小な隙間があり、回転軸筒４に接触しないように挿通されたスプール軸２は、回転軸筒４の前部側においてはリール本体３に支持されたころがり部材からなる前側軸受１０で、回転軸筒４の後部側においては後側軸受部材１１で、それぞれ前後動可能に支承されている。
【００２１】
前記回転軸筒４は、ピニオン９の前部側においてはリール本体３に支持された軸受１２で、ピニオン９の後部側においては小径の外周部で、前記スプール軸２を支承する後側軸受部材１１により、それぞれ回転自在に支承されている。なお、図中１３はころがり部材からなる一方向クラッチであり、回転軸筒４と一体回転する回転体とリール本体３の間に設けられ、ロータ６の釣糸繰り出し方向の逆転を防止している。
【００２２】
後側軸受部材１１は回転軸筒４とスプール軸２の各軸受部の外周に対応した大径部と小径部とから成る円筒状の内周部と、内周部と同径に大径部と小径部とから成る円筒状の外周部とから成っており、回転軸筒４とスプール軸２を共に支承し、かつリール本体３の中心に孔３ｂを有するカップ状の支持部３ａに装着されている。
【００２３】
上記のように、後側軸受部材１１は、スプール軸２の外周と回転軸筒４の端部外周を共に支承するため、図２に拡大して示すように、前方側に回転軸筒４の端部外周を支承する回転軸筒用軸受部１１ａを、後方側にスプール軸２の外周を支承するスプール軸用軸受部１１ｂを有するように一体的に形成され、リール本体３の支持部３ａに装着されて支持される。
【００２４】
このように、一体形成した後側軸受部材１１で回転軸筒４の端部外周とスプール軸２の外周を共に支承するので、支持部３ａに形成される両軸受部の同心度の精度が従来より向上し、従って回転軸筒４とスプール軸２の同心度を従来に比べて高精度に得られる。そのため、釣糸巻き取り時にも回転軸筒４の内周とスプール軸２の外周の非接触状態を安定して維持でき、従って巻き取り操作性が向上する。
【００２５】
更に、回転軸筒４とスプール軸２の軸受を独立に配置する必要がなく、その分のスペースがいらないため、リール本体の軸受部材支持部も小さくでき、従ってリール本体を小型化・軽量化できる。
【００２６】
後側軸受部材１１の回転軸筒用軸受部１１ａを回転軸筒４の小径の端部に装着した状態で、リール本体３のカップ状の支持部３ａに装着した後、スプール軸２を前記支持部３ａの中心孔３ｂ内に配置した後側軸受部材１１のスプール軸用軸受部１１ｂに挿入することでそれぞれの支承が完了する。このように、各部品の取り扱い及び組み込み作業の作業性を向上できる。
【００２７】
ところで、後側軸受部材１１は、スプール軸２と回転軸筒４の非接触状態を維持し、かつ寸法誤差等により生じるスプール軸２と回転軸筒４と支持部３ａの間のギャップを吸収する必要がある。そのため、後側軸受部材１１のスプール軸用軸受部１１ｂの外周と支持部３ａの中心孔３ｂの内周の間に、スプール軸２と回転軸筒４間の隙間よりも狭い隙間ができるように、前記支持部３ａが形成されている。
【００２８】
後側軸受部材１１には摺動性が良好で、かつ耐摩耗、低摩擦係数の材質、例えばポリアセタール、ポリフェニレンサルファイド、カーボン、セラミックからなる材質や金属材等が使用される。
【図面の簡単な説明】
【００２９】
【図１】本発明の一実施形態を示す魚釣用スピニングリールの側断面図である。
【図２】図１の魚釣用スピニングリールの要部拡大断面図である。
【図３】従来の魚釣用スピニングリールの要部拡大断面図である。
【符号の説明】
【００３０】
１・・・スプール、２・・・スプール軸、３・・・リール本体、３ａ・・・支持部、３ｂ・・・中心孔、４・・・回転軸筒、５・・・往復動装置、６・・・ロータ、７・・・ハンドル軸、８・・・駆動ギア、９・・・ピニオン、１０・・・前側軸受、１１・・・後側軸受部材、１１ａ・・・回転軸筒用軸受部、１１ｂ・・・スプール軸用軸受部、１２・・・軸受、１４・・・歯車、１５・・・オシレート歯車、１５ａ・・・突起、１６・・・摺動体、１６ａ・・・連結部、１６ｂ・・・案内溝、１６ｃ・・・本体部、１６ｄ・・・腕部、１６ｅ・・・ピラー案内部、１７・・・ピラー、１８・・・ハンドル、２１・・・軸受、２２・・・軸受、２３・・・釣糸案内部
【図１】
2006197892.tif 000003
【図２】
2006197892.tif 000004
【図３】
2006197892.tif 000005